(57)【要約】【課題】フルセグメント放送の受信とワンセグメント放送の受信とが切り替わった際に、映像やデータ放送の提示領域の位置や形の変化によるユーザの違和感を防止可能なデジタル放送受信装置を提供する。【解決手段】フルセグメント放送の受信からワンセグメント放送の受信へと切り替えたとき、切替え後のワンセグメント放送の放送波Ｗ２で規定される映像提示領域Ｒｉ２及びデータ放送提示領域Ｒｄ２を、切替え前のフルセグメント放送の映像提示領域Ｒｉ１及びデータ放送提示領域Ｒｄ１に合わせ込む。これにより、フルセグメント放送の受信からワンセグメント放送の受信へと切り替えられても、表示装置４６の画面上では映像提示領域Ｒｉ１及びデータ放送提示領域Ｒｄ１がそのまま用いられる。従って、映像提示領域Ｒｉ１やデータ放送提示領域Ｒｄ１の位置や形が変わることによるユーザの違和感を防止することができる。【選択図】図４
2010074454.tif 000002
【特許請求の範囲】
【請求項１】
地上デジタル放送の放送波を受信するアンテナと、
前記放送波の選局を行うチューナと、
選局された前記放送波を復調する復調部と、
復調された前記放送波をデコードするデコーダと、
表示装置における映像及びデータ放送の提示領域を制御する提示領域制御部と、
フルセグメント放送の受信とワンセグメント放送の受信との切替えを行う切替部と
を備えるデジタル放送受信装置であって、
前記提示領域制御部は、
前記切替部により前記フルセグメント放送の受信と前記ワンセグメント放送の受信との切替えが行われたとき、切替え後の放送で規定される映像及びデータ放送の提示領域を、切替え前の映像及びデータ放送の提示領域に合わせ込む
ことを特徴とするデジタル放送受信装置。
【請求項２】
請求項１記載のデジタル放送受信装置において、
前記フルセグメント放送では、映像提示領域が、提示領域全体の右上隅又は左上隅に配置され、データ放送提示領域が、前記提示領域全体の左側又は右側及び下側に配置され、
前記ワンセグメント放送では、映像提示領域が、提示領域全体の上側に配置され、データ放送提示領域が、前記提示領域全体の下側に配置され、
前記フルセグメント放送に関し、
前記提示領域全体の幅を幅Ｈ、
前記映像提示領域及び前記データ放送提示領域のうち下側領域の幅を幅Ｈ１、
前記データ放送提示領域のうち左側領域又は右側領域の幅を幅Ｈ２、
前記提示領域全体及び前記左側領域又は右側領域の高さを高さＶ、
前記映像提示領域の高さを高さＶ１、
前記データ放送提示領域のうち下側領域の高さを高さＶ２、
前記映像提示領域が前記提示領域全体の右上隅に配置されるとき、前記映像提示領域の左上隅の頂点を前記映像提示領域の原点、前記提示領域全体の左上隅の頂点を前記データ放送提示領域の原点、前記提示領域全体の左側から右側に向かう方向を水平方向の正の方向、及び前記提示領域全体の上側から下側に向かう方向を垂直方向の正の方向、
前記映像提示領域が前記提示領域全体の左上隅に配置されるとき、前記映像提示領域の右上隅の頂点を前記映像提示領域の原点、前記提示領域全体の右上隅の頂点を前記データ放送提示領域の原点、前記提示領域全体の右側から左側に向かう方向を水平方向の正の方向、及び前記提示領域全体の上側から下側に向かう方向を垂直方向の正の方向、
前記映像提示領域に含まれる座標群を映像座標群Ｇｉ１、
前記データ放送提示領域に含まれる座標群をデータ放送座標群Ｇｄ１
と定義し、
前記ワンセグメント放送に関し、
前記映像提示領域における水平座標を水平座標ｋ、
前記映像提示領域における垂直座標を垂直座標ｌ、
前記データ放送提示領域における水平座標を水平座標ｍ、
前記データ放送提示領域における垂直座標を垂直座標ｎ、
前記提示領域全体、前記映像提示領域及び前記データ放送提示領域の幅を幅ｈ１、
前記映像提示領域の高さを高さｖ１、
前記データ放送提示領域の高さを高さｖ２、
前記フルセグメント放送の前記映像提示領域が前記提示領域全体の右上隅に配置されるとき、前記ワンセグメント放送の前記映像提示領域の左上隅の頂点を前記映像提示領域の原点、前記データ放送提示領域の左上隅の頂点を前記データ放送提示領域の原点、前記提示領域全体の左側から右側に向かう方向を水平方向の正の方向、及び前記提示領域全体の上側から下側に向かう方向を垂直方向の正の方向、
前記フルセグメント放送の前記映像提示領域が前記提示領域全体の左上隅に配置されるとき、前記ワンセグメント放送の前記映像提示領域の右上隅の頂点を前記映像提示領域の原点、前記データ放送提示領域の右上隅の頂点を前記データ放送提示領域の原点、前記提示領域全体の右側から左側に向かう方向を水平方向の正の方向、及び前記提示領域全体の上側から下側に向かう方向を垂直方向の正の方向、
前記映像提示領域に含まれる座標群を映像座標群Ｇｉ２、
前記データ放送提示領域に含まれる座標群をデータ放送座標群Ｇｄ２
と定義し、且つ
係数Ｑ、Ｒ、Ｓ、Ｔ、Ｕを
Ｑ＝［Ｈ１／Ｈ２］
Ｒ＝Ｈ１／Ｑ
Ｓ＝Ｖ＋Ｑ×Ｖ２
Ｔ＝ｖ２×Ｖ／Ｓ
Ｕ＝ｖ２×Ｖ２／Ｓ
と定義するとき、
前記ワンセグメント放送の前記映像座標群Ｇｉ２を、下記の式（１）により前記フルセグメント放送の前記映像座標群Ｇｉ１に変換し、
【数１】
2010074454.tif 000011
前記ワンセグメント放送の前記データ放送座標群Ｇｄ２を、下記の式（２）により前記フルセグメント放送の前記データ放送座標群Ｇｄ１に変換する
【数２】
2010074454.tif 000012
ことを特徴とするデジタル放送受信装置。
【請求項３】
請求項１又は２記載のデジタル放送受信装置において、
前記切替部は、前記フルセグメント放送の受信品質の低下をトリガとして、前記フルセグメント放送の受信から前記ワンセグメント放送の受信へと自動切替えを行う
ことを特徴とするデジタル放送受信装置。
【請求項４】
請求項１又は２記載のデジタル放送受信装置において、
前記ワンセグメント放送は、ワンセグメント・ローカルサービス放送であり、
前記切替部は、前記ワンセグメント・ローカルサービス放送の受信をトリガとして、前記フルセグメント放送の受信から前記ワンセグメント・ローカルサービス放送の受信へと自動切替えを行う
ことを特徴とするデジタル放送受信装置。
【請求項５】
請求項１記載のデジタル放送受信装置において、
前記フルセグメント放送では、映像提示領域が、提示領域全体の右上隅又は左上隅に配置され、データ放送提示領域が、前記提示領域全体の左側又は右側及び下側に配置され、
前記ワンセグメント放送では、映像提示領域が、提示領域全体の上側に配置され、データ放送提示領域が、前記提示領域全体の下側に配置され、
前記フルセグメント放送に関し、
前記映像提示領域における水平座標を水平座標ｋ２、
前記映像提示領域における垂直座標を垂直座標ｌ２、
前記データ放送提示領域における水平座標を水平座標ｍ２、
前記データ放送提示領域における垂直座標を垂直座標ｎ２、
前記映像提示領域及び前記データ放送提示領域のうち下側領域の幅を幅Ｈ１、
前記データ放送提示領域のうち左側領域又は右側領域の幅を幅Ｈ２、
前記提示領域全体及び前記左側領域又は右側領域の高さを高さＶ、
前記映像提示領域の高さを高さＶ１、
前記データ放送提示領域のうち下側領域の高さを高さＶ２、
前記映像提示領域が前記提示領域全体の右上隅に配置されるとき、前記映像提示領域の左上隅の頂点を前記映像提示領域の原点、前記提示領域全体の左上隅の頂点を前記データ放送提示領域の原点、前記提示領域全体の左側から右側に向かう方向を水平方向の正の方向、及び前記提示領域全体の上側から下側に向かう方向を垂直方向の正の方向、並びに
前記映像提示領域が前記提示領域全体の左上隅に配置されるとき、前記映像提示領域の右上隅の頂点を前記映像提示領域の原点、前記提示領域全体の右上隅の頂点を前記データ放送提示領域の原点、前記提示領域全体の右側から左側に向かう方向を水平方向の正の方向、及び前記提示領域全体の上側から下側に向かう方向を垂直方向の正の方向、
前記映像提示領域に含まれる座標群を映像座標群Ｇｉ１、
前記データ放送提示領域に含まれる座標群をデータ放送座標群Ｇｄ１
と定義し、
前記ワンセグメント放送に関し、
前記提示領域全体、前記映像提示領域及び前記データ放送提示領域の幅を幅ｈ１、
前記映像提示領域の高さを高さｖ１、
前記データ放送提示領域の高さを高さｖ２、
前記フルセグメント放送の前記映像提示領域が前記提示領域全体の右上隅に配置されるとき、前記ワンセグメント放送の前記映像提示領域の左上隅の頂点を前記映像提示領域の原点、前記データ放送提示領域の左上隅の頂点を前記データ放送提示領域の原点、前記提示領域全体の左側から右側に向かう方向を水平方向の正の方向、及び前記提示領域全体の上側から下側に向かう方向を垂直方向の正の方向、
前記フルセグメント放送の前記映像提示領域が前記提示領域全体の左上隅に配置されるとき、前記ワンセグメント放送の前記映像提示領域の右上隅の頂点を前記映像提示領域の原点、前記データ放送提示領域の右上隅の頂点を前記データ放送提示領域の原点、前記提示領域全体の右側から左側に向かう方向を水平方向の正の方向、及び前記提示領域全体の上側から下側に向かう方向を垂直方向の正の方向、
前記映像提示領域に含まれる座標群を映像座標群Ｇｉ２、
前記データ放送提示領域に含まれる座標群をデータ放送座標群Ｇｄ２
と定義し、
係数Ｘ、Ｙを
Ｘ＝ｈ１／Ｈ２
Ｙ＝ｖ２／（Ｖ＋（［Ｈ１／Ｈ２］＋１）×Ｖ２）
と定義するとき、
前記フルセグメント放送の前記映像座標群Ｇｉ１を、下記の式（３）により前記ワンセグメント放送の前記映像座標群Ｇｉ２に変換し、
【数３】
2010074454.tif 000013
前記フルセグメント放送の前記データ放送座標群Ｇｄ１を、下記の式（４）により前記ワンセグメント放送の前記データ放送座標群Ｇｄ２に変換する
【数４】
2010074454.tif 000014
ことを特徴とするデジタル放送受信装置。
【発明の詳細な説明】
【技術分野】
【０００１】
この発明は、地上デジタル放送等の放送に用いるデジタル放送受信装置に関する。
【背景技術】
【０００２】
現在、地上デジタル放送への完全移行に向けて準備が進められている。地上デジタル放送では、映像及び音声に加え、データ放送を配信可能である。また、地上デジタル放送には、固定受信装置向けのフルセグメント（１２セグメント）放送と、携帯受信装置・移動体向けのワンセグメント放送とが含まれる。車両等の移動体に搭載される放送受信装置の中には、放送の受信品質に応じてフルセグメント放送の受信とワンセグメント放送の受信とを切り替えるものが存在する（特許文献１）。
【０００３】
【特許文献１】特開２００７−０９６５０８号公報
【発明の開示】
【発明が解決しようとする課題】
【０００４】
特許文献１に記載された装置では、放送の受信品質が低下し、フルセグメント放送の受信が困難となった場合でも、ワンセグメント放送を受信可能である。しかし、一般に、固定受信装置と携帯受信装置（携帯電話等）の画面サイズの関係等から、フルセグメント放送における映像及びデータ放送の提示領域（両者の相対的な位置関係）と、ワンセグメント放送における映像及びデータ放送の提示領域とは異なる。例えば、フルセグメント放送では、映像が画面右上に表示され、データ放送が画面左側及び下側に表示されるのに対し、ワンセグメント放送では、データ放送が画面下側に表示され、残りの部分に映像が表示される。このため、特許文献１に記載の装置では、放送の切替えが行われた際、映像やデータ放送の提示領域の位置や形が変わることにより、ユーザに違和感が発生する。
【０００５】
この発明はこのような課題を考慮してなされたものであり、フルセグメント放送の受信とワンセグメント放送の受信とが切り替わった際に映像やデータ放送の提示領域の位置や形が変わることによるユーザの違和感を防止することを目的とする。
【課題を解決するための手段】
【０００６】
この発明に係るデジタル放送受信装置は、地上デジタル放送の放送波を受信するアンテナと、前記放送波の選局を行うチューナと、選局された前記放送波を復調する復調部と、復調された前記放送波をデコードするデコーダと、表示装置における映像及びデータ放送の提示領域を制御する提示領域制御部と、フルセグメント放送の受信とワンセグメント放送の受信との切替えを行う切替部とを備えるものであって、前記提示領域制御部は、前記切替部により前記フルセグメント放送の受信と前記ワンセグメント放送の受信との切替えが行われたとき、切替え後の放送で規定される映像及びデータ放送の提示領域を、切替え前の映像及びデータ放送の提示領域に合わせ込むことを特徴とする。
【０００７】
この発明によれば、フルセグメント放送の受信とワンセグメント放送の受信との切替え（フルセグメント放送の受信からワンセグメント放送の受信への切替え又はその逆）が行われたとき、切替え後の放送で規定される映像及びデータ放送の提示領域を、切替え前の映像及びデータ放送の提示領域に合わせ込む。これにより、フルセグメント放送とワンセグメント放送とが切り替えられても、表示装置の画面上における映像及びデータ放送の提示領域は、変更されない。従って、映像やデータ放送の提示領域の位置や形が変わることによるユーザの違和感を防止することができる。
【０００８】
上記において、前記フルセグメント放送では、映像提示領域が、提示領域全体の右上隅又は左上隅に配置され、データ放送提示領域が、前記提示領域全体の左側又は右側及び下側に配置され、前記ワンセグメント放送では、映像提示領域が、提示領域全体の上側に配置され、データ放送提示領域が、前記提示領域全体の下側に配置され、前記フルセグメント放送に関し、前記提示領域全体の幅を幅Ｈ、前記映像提示領域及び前記データ放送提示領域のうち下側領域の幅を幅Ｈ１、前記データ放送提示領域のうち左側領域又は右側領域の幅を幅Ｈ２、前記提示領域全体及び前記左側領域又は右側領域の高さを高さＶ、前記映像提示領域の高さを高さＶ１、前記データ放送提示領域のうち下側領域の高さを高さＶ２、前記映像提示領域が前記提示領域全体の右上隅に配置されるとき、前記映像提示領域の左上隅の頂点を前記映像提示領域の原点、前記提示領域全体の左上隅の頂点を前記データ放送提示領域の原点、前記提示領域全体の左側から右側に向かう方向を水平方向の正の方向、及び前記提示領域全体の上側から下側に向かう方向を垂直方向の正の方向、前記映像提示領域が前記提示領域全体の左上隅に配置されるとき、前記映像提示領域の右上隅の頂点を前記映像提示領域の原点、前記提示領域全体の右上隅の頂点を前記データ放送提示領域の原点、前記提示領域全体の右側から左側に向かう方向を水平方向の正の方向、及び前記提示領域全体の上側から下側に向かう方向を垂直方向の正の方向、前記映像提示領域に含まれる座標群を映像座標群Ｇｉ１、前記データ放送提示領域に含まれる座標群をデータ放送座標群Ｇｄ１と定義し、前記ワンセグメント放送に関し、前記映像提示領域における水平座標を水平座標ｋ、前記映像提示領域における垂直座標を垂直座標ｌ、前記データ放送提示領域における水平座標を水平座標ｍ、前記データ放送提示領域における垂直座標を垂直座標ｎ、前記提示領域全体、前記映像提示領域及び前記データ放送提示領域の幅を幅ｈ１、前記映像提示領域の高さを高さｖ１、前記データ放送提示領域の高さを高さｖ２、前記フルセグメント放送の前記映像提示領域が前記提示領域全体の右上隅に配置されるとき、前記ワンセグメント放送の前記映像提示領域の左上隅の頂点を前記映像提示領域の原点、前記データ放送提示領域の左上隅の頂点を前記データ放送提示領域の原点、前記提示領域全体の左側から右側に向かう方向を水平方向の正の方向、及び前記提示領域全体の上側から下側に向かう方向を垂直方向の正の方向、前記フルセグメント放送の前記映像提示領域が前記提示領域全体の左上隅に配置されるとき、前記ワンセグメント放送の前記映像提示領域の右上隅の頂点を前記映像提示領域の原点、前記データ放送提示領域の右上隅の頂点を前記データ放送提示領域の原点、前記提示領域全体の右側から左側に向かう方向を水平方向の正の方向、及び前記提示領域全体の上側から下側に向かう方向を垂直方向の正の方向、前記映像提示領域に含まれる座標群を映像座標群Ｇｉ２、前記データ放送提示領域に含まれる座標群をデータ放送座標群Ｇｄ２と定義し、且つ、係数Ｑ、Ｒ、Ｓ、Ｔ、Ｕを
Ｑ＝［Ｈ１／Ｈ２］
Ｒ＝Ｈ１／Ｑ
Ｓ＝Ｖ＋Ｑ×Ｖ２
Ｔ＝ｖ２×Ｖ／Ｓ
Ｕ＝ｖ２×Ｖ２／Ｓ
と定義するとき、前記ワンセグメント放送の前記映像座標群Ｇｉ２を、下記の式（１）により前記フルセグメント放送の前記映像座標群Ｇｉ１に変換し、
【０００９】
【数１】
2010074454.tif 000003
【００１０】
前記ワンセグメント放送の前記データ放送座標群Ｇｄ２を、下記の式（２）により前記フルセグメント放送の前記データ放送座標群Ｇｄ１に変換してもよい。
【００１１】
【数２】
2010074454.tif 000004
【００１２】
前記切替部は、前記フルセグメント放送の受信品質の低下をトリガとして、前記フルセグメント放送の受信から前記ワンセグメント放送の受信へと自動切替えを行ってもよい。これにより、ユーザが、フルセグメント放送の映像コンテンツを視聴しているときにフルセグメント放送からワンセグメント放送に切り替わることに伴う映像やデータ放送の提示領域の位置や形の変更によって生じるユーザの違和感を防止することができる。特に、フルセグメント放送とワンセグメント放送がサイマル放送である場合、フルセグメント放送の受信からワンセグメント放送の受信に切り替わっても、映像コンテンツは変わらないため、前記違和感の防止の効果は大きい。
【００１３】
また、前記ワンセグメント放送は、ワンセグメント・ローカルサービス放送であり、前記切替部は、前記ワンセグメント・ローカルサービス放送の受信をトリガとして、前記フルセグメント放送の受信から前記ワンセグメント・ローカルサービス放送の受信へと自動切替えを行ってもよい。
【００１４】
さらに、前記フルセグメント放送では、映像提示領域が、提示領域全体の右上隅又は左上隅に配置され、データ放送提示領域が、前記提示領域全体の左側又は右側及び下側に配置され、前記ワンセグメント放送では、映像提示領域が、提示領域全体の上側に配置され、データ放送提示領域が、前記提示領域全体の下側に配置され、前記フルセグメント放送に関し、前記映像提示領域における水平座標を水平座標ｋ２、前記映像提示領域における垂直座標を垂直座標ｌ２、前記データ放送提示領域における水平座標を水平座標ｍ２、前記データ放送提示領域における垂直座標を垂直座標ｎ２、前記映像提示領域及び前記データ放送提示領域のうち下側領域の幅を幅Ｈ１、前記データ放送提示領域のうち左側領域又は右側領域の幅を幅Ｈ２、前記提示領域全体及び前記左側領域又は右側領域の高さを高さＶ、前記映像提示領域の高さを高さＶ１、前記データ放送提示領域のうち下側領域の高さを高さＶ２、前記映像提示領域が前記提示領域全体の右上隅に配置されるとき、前記映像提示領域の左上隅の頂点を前記映像提示領域の原点、前記提示領域全体の左上隅の頂点を前記データ放送提示領域の原点、前記提示領域全体の左側から右側に向かう方向を水平方向の正の方向、及び前記提示領域全体の上側から下側に向かう方向を垂直方向の正の方向、並びに前記映像提示領域が前記提示領域全体の左上隅に配置されるとき、前記映像提示領域の右上隅の頂点を前記映像提示領域の原点、前記提示領域全体の右上隅の頂点を前記データ放送提示領域の原点、前記提示領域全体の右側から左側に向かう方向を水平方向の正の方向、及び前記提示領域全体の上側から下側に向かう方向を垂直方向の正の方向、前記映像提示領域に含まれる座標群を映像座標群Ｇｉ１、前記データ放送提示領域に含まれる座標群をデータ放送座標群Ｇｄ１と定義し、前記ワンセグメント放送に関し、前記提示領域全体、前記映像提示領域及び前記データ放送提示領域の幅を幅ｈ１、前記映像提示領域の高さを高さｖ１、前記データ放送提示領域の高さを高さｖ２、前記フルセグメント放送の前記映像提示領域が前記提示領域全体の右上隅に配置されるとき、前記ワンセグメント放送の前記映像提示領域の左上隅の頂点を前記映像提示領域の原点、前記データ放送提示領域の左上隅の頂点を前記データ放送提示領域の原点、前記提示領域全体の左側から右側に向かう方向を水平方向の正の方向、及び前記提示領域全体の上側から下側に向かう方向を垂直方向の正の方向、前記フルセグメント放送の前記映像提示領域が前記提示領域全体の左上隅に配置されるとき、前記ワンセグメント放送の前記映像提示領域の右上隅の頂点を前記映像提示領域の原点、前記データ放送提示領域の右上隅の頂点を前記データ放送提示領域の原点、前記提示領域全体の右側から左側に向かう方向を水平方向の正の方向、及び前記提示領域全体の上側から下側に向かう方向を垂直方向の正の方向、前記映像提示領域に含まれる座標群を映像座標群Ｇｉ２、前記データ放送提示領域に含まれる座標群をデータ放送座標群Ｇｄ２と定義し、係数Ｘ、Ｙを
Ｘ＝ｈ１／Ｈ２
Ｙ＝ｖ２／（Ｖ＋（［Ｈ１／Ｈ２］＋１）×Ｖ２）
と定義するとき、前記フルセグメント放送の前記映像座標群Ｇｉ１を、下記の式（３）により前記ワンセグメント放送の前記映像座標群Ｇｉ２に変換し、
【００１５】
【数３】
2010074454.tif 000005
【００１６】
前記フルセグメント放送の前記データ放送座標群Ｇｄ１を、下記の式（４）により前記ワンセグメント放送の前記データ放送座標群Ｇｄ２に変換してもよい。
【００１７】
【数４】
2010074454.tif 000006
【発明の効果】
【００１８】
この発明によれば、フルセグメント放送の受信とワンセグメント放送の受信との切替え（フルセグメント放送の受信からワンセグメント放送の受信への切替え又はその逆）が行われたとき、切替え後の放送で規定される映像及びデータ放送の提示領域を、切替え前の映像及びデータ放送の提示領域に合わせ込む。これにより、フルセグメント放送とワンセグメント放送とが切り替えられても、表示装置の画面上における映像及びデータ放送の提示領域は、変更されない。従って、映像やデータ放送の提示領域の位置や形が変わることによるユーザの違和感を防止することができる。
【発明を実施するための最良の形態】
【００１９】
Ａ．一実施形態
以下、この発明の一実施形態に係るデジタル放送受信装置について図面を参照して説明する。
【００２０】
１．地上デジタル放送受信装置１０の構成
図１は、この発明の一実施形態に係る地上デジタル放送受信装置１０（以下「受信装置１０」とも称する。）の回路図である。本実施形態の受信装置１０は、車載用であり、ＲＦアンテナ１２と、チューナ１４と、復調部１６と、トランスポート・ストリーム・デコーダ１８（以下「ＴＳデコーダ１８」と称する。）と、音声デコーダ２０と、映像デコーダ２２と、提示処理部２４と、音声出力端子２６と、映像出力端子２８と、リモートコントローラ３０と、入出力回路３２と、フラッシュメモリ等の不揮発性ランダム・アクセス・メモリ３４（以下「ＮＶＲＡＭ３４」と称する。）と、リード・オンリー・メモリ３６（以下「ＲＯＭ３６」と称する。）と、主メモリとしての揮発性メモリ３８（以下「ＲＡＭ３８」と称する。）と、ＣＰＵ４０と、通信インタフェース４２と、システムバス４４とを有する。
【００２１】
ＲＦアンテナ１２は、フルセグメント放送（１２セグメント放送）の放送波Ｗ１及びワンセグメント放送の放送波Ｗ２を受信可能である。ＲＦアンテナ１２で受信された放送波Ｗ１、Ｗ２は、チューナ１４において、選局されたチャンネル周波数の電波のみが抽出される。チューナ１４において抽出された電波は、復調部１６において、アナログ／デジタル変換、ＯＦＤＭ復調及び誤り訂正が行われる。続くＴＳデコーダ１８において、オーディオ信号Ｓａとビデオ信号Ｓｖに分離される。オーディオ信号Ｓａは、音声デコーダ２０でデコードされた後、音声出力端子２６から出力される。ビデオ信号Ｓｖは、映像デコーダ２２でデコードされた後、提示処理部２４を介して映像出力端子２８から出力される。提示処理部２４は、後述する方法により、ビデオ信号Ｓｖの出力を制御する。音声出力端子２６及び映像出力端子２８には、表示装置４６が接続されており、この表示装置４６では、オーディオ信号Ｓａ及びビデオ信号Ｓｖに基づく出力がなされる。ＣＰＵ４０は、システムバス４４を介して各部を制御する。
【００２２】
なお、図１では、白抜きの太い矢印は、非蓄積データの流れを示している。
【００２３】
２．提示領域変換処理
（１）処理の概要
本実施形態では、フルセグメント放送の受信品質が低下したとき、フルセグメント放送の受信からワンセグメント放送の受信に切り替える処理（放送切替処理）を行う。一般に、フルセグメント放送において、映像及びデータ放送が提示される領域と、ワンセグメント放送において、映像及びデータ放送が提示される領域とは異なる。例えば、フルセグメント放送では、映像の提示領域は、提示領域全体の右上側に配置され、データ放送の提示領域は、提示領域全体の左側及び下側に配置されるが、ワンセグメント放送では、映像の提示領域は、提示領域全体の上側に配置され、データ放送の提示領域は、提示領域全体の下側に配置される。
【００２４】
しかし、本実施形態では、前記放送切替処理が行われた際、ワンセグメント放送における映像及びデータ放送の提示領域を、フルセグメント放送における映像及びデータ放送の提示領域に合わせ込むように座標変換する（図４参照）。換言すると、ワンセグメント放送の映像及びデータ放送は、フルセグメント放送における映像及びデータ放送の提示領域に提示される。このように提示領域を座標変換する処理を、以下では提示領域変換処理と称する。
【００２５】
例えば、図２に示すように、受信装置１０を搭載した車両５０が、放送波Ｗ１の受信可能圏Ｒ１内を走行しているとき、フルセグメント放送の放送波Ｗ１の受信品質は高く、フルセグメント放送の映像Ｉ１及びデータ放送Ｄ１を表示装置４６に表示し、フルセグメント放送の音声を表示装置４６から出力する。車両５０が、放送波Ｗ２の受信可能圏Ｒ２内にはいるものの放送波Ｗ１の受信可能圏Ｒ１から外れると、フルセグメント放送の放送波Ｗ１の受信品質が低下し、受信装置１０は、放送波Ｗ１の代わりに、ワンセグメント放送の放送波Ｗ２の受信を開始する。この際、受信装置１０の提示処理部２４は、ビデオ信号Ｓｖを制御して、ワンセグメント放送の映像Ｉ２及びデータ放送Ｄ２の提示領域を、フルセグメント放送の映像Ｉ１及びデータ放送Ｄ１の提示領域に変換して表示装置４６に提示される。車両５０が、放送波Ｗ１の受信可能圏Ｒ１内に戻ると、フルセグメント放送の放送波Ｗ１の受信品質が改善し、受信装置１０は、放送波Ｗ２の代わりに、放送波Ｗ１の受信を開始する。この際、受信装置１０の提示処理部２４は、提示領域変換処理を行わず、放送波Ｗ１で規定される映像Ｉ１及びデータ放送Ｄ１の提示領域をそのまま用いる。
【００２６】
なお、「提示」とは、表示装置４６の画面上に「実際に表示」される映像及びデータ放送の情報を提供することのみならず、データ放送の仮想提示領域（画面をスクロールすることにより表示される領域）の情報をも提供することをも意味し得る。
【００２７】
（２）事前設定
本実施形態では、上述の放送切替処理及び提示領域変換処理を行うかどうかの設定は、ＮＶＲＡＭ３４に記憶されている。初期設定は、両処理を行う設定とされており、ユーザは、リモートコントローラ３０を操作することにより設定を変更することができる。なお、以下では、放送切替処理を行う設定にされていることを前提に話を進める。
【００２８】
（３）提示領域変換処理及びこれに関連する処理の流れ
図３には、提示領域変換処理及びこれに関連する処理のフローチャートが示されている。
【００２９】
ステップＳ１において、ＣＰＵ４０は、チューナ１４にフルセグメント放送の放送波Ｗ１の受信を行わせる。そして、ステップＳ２において、ＣＰＵ４０は、フルセグメント放送の放送波Ｗ１の受信品質が所定値よりも低くなっているかどうかを判定する。受信品質は、復調部１６から通知される。受信品質としては、例えば、正受信率、ＢＥＲ（Bit Error Rate）、又は受信電力値を用いることができる。
【００３０】
放送波Ｗ１の受信品質が所定値よりも高い場合（Ｓ２：Ｙｅｓ）、ステップＳ３において、ＣＰＵ４０は、ＴＳデコーダ１８、音声デコーダ２０、映像デコーダ２２及び提示処理部２４を制御して、放送波Ｗ１に基づくオーディオ信号Ｓａ及びビデオ信号Ｓｖを出力させる。この際、提示処理部２４は、提示領域変換処理を行わずに、放送波Ｗ１に含まれる映像Ｉ１及びデータ放送Ｄ１の提示座標をそのまま用いて、当該映像Ｉ１及びデータ放送Ｄ１を提示させる。
【００３１】
ステップＳ２において放送波Ｗ１の受信品質が所定値よりも低い場合（Ｓ２：Ｎｏ）、放送切替処理が行われる。すなわち、ステップＳ４において、ＣＰＵ４０は、チューナ１４にワンセグメント放送の放送波Ｗ２の受信を開始させる。続くステップＳ５において、ＣＰＵ４０は、ＮＶＲＡＭ３４に記憶されている設定が、提示領域変換処理を行う設定となっているかどうかを判定する。提示領域変換処理を行う設定となっている場合（Ｓ５：Ｙｅｓ）、ステップＳ６において、ＣＰＵ４０は、ＴＳデコーダ１８、音声デコーダ２０、映像デコーダ２２及び提示処理部２４を制御して、放送波Ｗ２に基づくオーディオ信号Ｓａ及びビデオ信号Ｓｖを出力させる。この際、ＣＰＵ４０は、提示処理部２４に対し、提示領域変換処理の実行を求める指令を送信する。この指令を受信した提示処理部２４は、提示領域変換処理を実行し、放送波Ｗ２に含まれる映像Ｉ２及びデータ放送Ｄ２を、フルセグメント放送の放送波Ｗ１で規定される映像Ｉ１及びデータ放送Ｄ１の提示領域に提示させる。提示領域変換処理の詳細については、後述する。なお、放送波Ｗ１で規定される提示領域は、直前に受信していた放送波Ｗ１の提示領域をＮＶＲＡＭ３４又はＲＡＭ３８に記憶しておき、これを用いる。
【００３２】
ステップＳ５において、提示領域変換処理を行わない設定となっている場合（Ｓ５：Ｎｏ）、ＣＰＵ４０は、ＴＳデコーダ１８、音声デコーダ２０、映像デコーダ２２及び提示処理部２４を制御して、放送波Ｗ２に基づくオーディオ信号Ｓａ及びビデオ信号Ｓｖを出力させる。但し、ＣＰＵ４０は、提示処理部２４に提示領域変換処理を行わせない。
【００３３】
（４）提示領域変換処理の具体的内容
（ａ）概要
図４には、提示領域変換処理の概念が示されている。図４に示すように、ワンセグメント放送の放送波Ｗ２における提示領域全体Ｒａｌｌ２は、映像Ｉ２を提示する映像提示領域Ｒｉ２と、データ放送Ｄ２を提示するデータ放送提示領域Ｒｄ２とからなる。データ放送提示領域Ｒｄ２は、表示装置４６の画面に実際に表示されるデータ放送表示領域Ｒｄ２ａと、表示装置４６の画面をスクロールすることにより表示可能な仮想提示領域Ｒｄ２ｂとからなる。
【００３４】
フルセグメント放送の放送波Ｗ１における提示領域全体Ｒａｌｌ１は、映像Ｉ１を提示する映像提示領域Ｒｉ１と、データ放送Ｄ１を提示するデータ放送提示領域Ｒｄ１とからなる。ワンセグメント放送のデータ放送提示領域Ｒｄ２と異なり、フルセグメント放送のデータ放送提示領域Ｒｄ１は、すべてが表示装置４６の画面に実際に表示される。但し、データ放送提示領域Ｒｄ２のように、スクロールにより移動するものであってもよい。
【００３５】
本実施形態では、ワンセグメント放送の映像提示領域Ｒｉ２をフルセグメント放送の映像提示領域Ｒｉ１に合わせ込むように変換することにより、ワンセグメント放送に含まれる映像Ｉ２を、映像提示領域Ｒｉ１に提示する。また、ワンセグメント放送のデータ放送提示領域Ｒｄ２（アルファベットのＩ字状）をフルセグメント放送のデータ放送提示領域Ｒｄ１（アルファベットのＬ字状）に合わせ込むように変換することにより、ワンセグメント放送に含まれるデータ放送Ｄ２を、フルセグメント放送のデータ放送提示領域Ｒｄ１に提示する。
【００３６】
（ｂ）提示領域の説明
ワンセグメント放送において、映像提示領域Ｒｉ２は、提示領域全体Ｒａｌｌ２の上側に位置し、データ放送提示領域Ｒｄ２は、提示領域全体Ｒａｌｌ２の下側に位置する。また、映像提示領域Ｒｉ２及びデータ放送提示領域Ｒｄ２の幅は、提示領域全体Ｒａｌｌ２の幅と等しく幅ｈ１［ｄｏｔ］である。また、映像提示領域Ｒｉ２の高さは、高さｖ１［ｄｏｔ］であり、データ放送提示領域Ｒｄ２の高さは、高さｖ２［ｄｏｔ］であり、このうち、データ放送表示領域Ｒｄ２ａの高さは、高さｖ３［ｄｏｔ］であり、仮想提示領域Ｒｄ２Ｂの高さは、高さｖ４［ｄｏｔ］である。
【００３７】
フルセグメント放送において、映像提示領域Ｒｉ１は、その右上隅が、提示領域全体Ｒａｌｌ１の右上隅に一致するように位置する。換言すると、映像提示領域Ｒｉ１の幅Ｈ１［ｄｏｔ］は、提示領域全体Ｒａｌｌ１の幅Ｈ［ｄｏｔ］よりも短く、映像提示領域Ｒｉ１の高さＶ１［ｄｏｔ］は、提示領域全体Ｒａｌｌ１の高さＶ［ｄｏｔ］よりも低い。データ放送提示領域Ｒｄ１は、全体の表示領域Ｒａｌｌ１から映像提示領域Ｒｉ１を除いた部分となっており、データ放送提示領域Ｒｄ１は、提示領域全体Ｒａｌｌ１の左側及び下側に位置する。データ放送提示領域Ｒｄ１のうち映像提示領域Ｒｉ１の左側に位置する領域（以下「左側領域Ｒｄ１ａ」と称する。）の幅Ｈ２［ｄｏｔ］は、提示領域全体Ｒａｌｌ１の幅Ｈと映像提示領域Ｒｉ１の幅Ｈ１の差（Ｈ２＝Ｈ−Ｈ１）であり、左側領域Ｒｄ１ａの高さは、提示領域全体Ｒａｌｌ１と同じ高さＶである。また、データ放送提示領域Ｒｄ１のうち映像提示領域Ｒｉ１の下側に位置する領域（以下「下側領域Ｒｄ１ｂ」と称する。）の幅は、映像提示領域Ｒｉ１と同じ幅Ｈ１であり、下側領域Ｒｄ１ｂの高さＶ２［ｄｏｔ］は、提示領域全体Ｒａｌｌ１の高さＶと映像提示領域Ｒｉ１の高さＶ１との差（Ｖ２＝Ｖ−Ｖ１）である。
【００３８】
（ｃ）変換式
本実施形態において、提示領域変換処理は、下記の式（１）及び式（２）を用いた座標変換により行われる。
【００３９】
【数５】
2010074454.tif 000007
【００４０】
【数６】
2010074454.tif 000008
【００４１】
式（１）は、ワンセグメント放送の映像提示領域Ｒｉ２に含まれる座標の集合体（映像座標群Ｇｉ２）を、フルセグメント放送の映像提示領域Ｒｉ１に含まれる座標の集合体（映像座標群Ｇｉ１）に変換するための式である。
【００４２】
また、式（２）は、ワンセグメント放送のデータ放送提示領域Ｒｄ２に含まれる座標の集合体（データ放送座標群Ｇｄ２）を、フルセグメント放送のデータ放送提示領域Ｒｄ１に含まれる座標の集合体（データ放送座標群Ｇｄ１）に変換するための式である。
【００４３】
なお、式（１）についての原点座標に関し、ワンセグメント放送では、映像提示領域Ｒｉ２の左上の頂点（原点座標Ｏｉ２）であり、フルセグメント放送では、映像提示領域Ｒｉ１の左上の頂点（原点座標Ｏｉ１）であり、図４中右側に向かう方向が水平方向の正の方向であり、図４中下側に向かう方向が垂直方向の正の方向である。
【００４４】
また、式（２）についての原点座標に関し、ワンセグメント放送では、データ放送提示領域Ｒｄ２の左上の頂点（原点座標Ｏｄ２）であり、フルセグメント放送では、提示領域全体Ｒａｌｌ１（データ放送提示領域Ｒｄ１）の左上の頂点（原点座標Ｏｄ１）であり、図４中右側に向かう方向が水平方向の正の方向であり、図４中下側に向かう方向が垂直方向の正の方向である。
【００４５】
式（１）における数値の意味するところは、下記の通りである。
ｋ：ワンセグメント放送の映像提示領域Ｒｉ２における水平座標
ｌ：映像提示領域Ｒｉ２における垂直座標
ｋ×Ｈ１／ｈ１：水平座標ｋを式（１）により変換した後の水平座標（水平座標ｋにＨ１／ｈ１を乗算しているのは、映像提示領域Ｒｉ２の幅ｈ１を映像提示領域Ｒｉ１の幅Ｈ１に合わせ込むためである。）
ｌ×Ｖ１／ｖ１：垂直座標ｌを式（１）により変換した後の垂直座標（Ｖ１／ｖ１を乗算しているのは、映像提示領域Ｒｉ２の高さｖ１を映像提示領域Ｒｉ１の高さＶ１に合わせ込むためである。）
【００４６】
上記式（１）において、水平座標ｋを０から幅ｈ１まで及び垂直座標ｌを０から高さｖ１まで変化させた映像座標群Ｇｉ２（映像提示領域Ｒｉ２に対応する）は、式（１）により変換されることにより映像座標群Ｇｉ１（映像提示領域Ｒｉ１に対応する）となる。
【００４７】
式（２）において、右辺第１項は、データ放送提示領域Ｒｄ１の左側領域Ｒｄ１ａに対応する座標群であり、右辺第２項は、下側領域Ｒｄ１ｂに対応する座標群である。なお、式（２）では、Ｌ字状のデータ放送提示領域Ｒｄ１をＩ字状に見立て、Ｉ字状のデータ放送提示領域Ｒｄ２と対応付けることにより座標変換を行う。すなわち、下側領域Ｒｄ１ｂを複数の下側サブ領域Ｒｄ１ｂａ〜Ｒｄ１ｂｃ（詳細は後述）に分割し、下側サブ領域Ｒｄ１ｂａ〜Ｒｄ１ｂｃを左側領域Ｒｄ１ａの下側に並べてＩ字状の領域を仮想的に作り、データ放送提示領域Ｒｄ２と対応付けることにより座標変換を行う（図６参照）。
【００４８】
式（２）において、係数Ｑ、Ｒ、Ｓ、Ｔ、Ｕは、下記のように定義される。
Ｑ＝［Ｈ１／Ｈ２］
Ｒ＝Ｈ１／Ｑ
Ｓ＝Ｖ＋Ｑ×Ｖ２
Ｔ＝ｖ２×Ｖ／Ｓ
Ｕ＝ｖ２×Ｖ２／Ｓ
【００４９】
上記において、［Ｈ１／Ｈ２］は、ガウス記号（床関数）を示し、Ｈ１／Ｈ２以下の最大の整数を示す。代わりに、Ｈ１／Ｈ２以上の最小の整数を示す天井関数を用いてもよい。
【００５０】
式（２）の右辺第１項における数値の意味するところは、下記の通りである。
ｍ：ワンセグメント放送のデータ放送提示領域Ｒｄ２における水平座標
ｎ：データ放送提示領域Ｒｄ２における垂直座標
Ｔ：ワンセグメント放送のデータ放送提示領域Ｒｄ２の高さｖ２のうち、フルセグメント放送の左側領域Ｒｄ１ａに対応する高さ
ｍ×Ｈ２／ｈ１：水平座標ｍを式（２）により変換した後の水平座標（水平座標ｍにＨ２／ｈ１を乗算しているのは、データ放送提示領域Ｒｄ２の幅ｈ１をデータ放送提示領域Ｒｄ１の幅Ｈ２に合わせ込むためである。）
ｎ×Ｖ／Ｔ：垂直座標ｎを式（２）により変換した後の垂直座標（Ｖ２／Ｔを乗算しているのは、データ放送提示領域Ｒｄ２の高さＴを左側領域Ｒｄ１ａの高さＶに合わせ込むためである。）
【００５１】
上記式（２）の右辺第１項において、水平座標ｍを０から幅ｈ１まで及び垂直座標ｎを０から高さＴまで変化させたデータ放送座標群Ｇｄ２ａ（ワンセグメント放送のデータ放送提示領域Ｒｄ２のうちフルセグメント放送の左側領域Ｒｄ１ａに対応する領域に対応する）は、式（２）の右辺第１項により変換されることによりデータ放送座標群Ｇｄ１ａ（左側領域Ｒｄ１ａに対応する）となる。
【００５２】
式（２）の右辺第２項における数値の意味するところは、下記の通りである（既に説明しているものについては省略する。）。
Ｑ：下側領域Ｒｄ１ｂの幅Ｈ１の範囲に、左側領域Ｒｄ１ａの幅Ｈ２がおよそいくつ入るかを示す整数
ｐ：下側領域Ｒｄ１ｂの幅Ｈ１を係数Ｑで等分したことにより得られた領域（下側サブ領域Ｒｄ１ｂａ〜Ｒｄ１ｂｃ）に対応する変数（すなわち、変数ｐが１のとき、下側サブ領域Ｒｄ１ｂａを示し、変数ｐが２のとき、下側サブ領域Ｒｄ１ｂｂを示し、変数ｐが３のとき、下側サブ領域Ｒｄ１ｂｃを示す。）
Ｒ：下側サブ領域Ｒｄ１ｂａ〜Ｒｄ１ｂｃの幅［ｄｏｔ］
Ｔ＋（ｐ−１）×Ｕ：下側サブ領域Ｒｄ１ｂａ〜Ｒｄ１ｂｃのうち座標変換の対象となっているものの垂直座標の最初の（最も小さい）値
Ｔ＋ｐ×Ｕ：下側サブ領域Ｒｄ１ｂａ〜Ｒｄ１ｂｃのうち座標変換の対象となっているものの垂直座標の最後の（最も大きい）値
Ｈ２＋（ｐ−１）×Ｒ＋ｍ×Ｒ／ｈ１：ワンセグメント放送のデータ放送提示領域Ｒｄ２のうちフルセグメント放送の下側サブ領域Ｒｄ１ｂａ〜Ｒｄ１ｂｃに対応する領域に含まれる水平座標を座標変換した値（すなわち、下側サブ領域Ｒｄ１ｂａ〜Ｒｄ１ｂｃにおける水平座標）
Ｓ：下側サブ領域Ｒｄ１ｂａ〜Ｒｄ１ｂｃを仮想的に左側領域Ｒｄ１ａの下側に並べたときの合計の高さ［ｄｏｔ］
Ｕ：ワンセグメント放送のデータ放送提示領域Ｒｄ２の高さｖ２のうち、フルセグメント放送の下側領域Ｒｄ１ｂに対応する高さ
Ｖ１＋（ｎ−Ｔ−（ｐ−１）×Ｕ）×Ｖ２／（Ｔ＋ｐ×Ｕ）：ワンセグメント放送のデータ放送提示領域Ｒｄ２のうちフルセグメント放送の下側サブ領域Ｒｄ１ｂａ〜Ｒｄ１ｂｃに対応する領域に含まれる垂直座標を座標変換した値（すなわち、下側サブ領域Ｒｄ２ｂａ〜Ｒｄ２ｂｃにおける垂直座標）
【００５３】
上記式（２）の右辺第２項において、水平座標ｍを０から幅ｈ１まで及び垂直座標ｎをＴ＋（ｐ−１）×ＵからＴ＋ｐ×Ｕまで並びに変数ｐを１から係数Ｑまで変化させたワンセグメント放送のデータ放送座標群Ｇｄ２ｂ（フルセグメント放送のデータ放送提示領域Ｒｄ１のうち下側領域Ｒｄ１ｂに対応する領域に対応する）は、式（２）の右辺第２項により変換されることによりフルセグメント放送のデータ放送座標群Ｇｄ１ｂ（下側領域Ｒｄ１ｂに対応する）となる。
【００５４】
以上のような座標変換により、ワンセグメント放送の提示領域全体Ｒａｌｌ２をフルセグメント放送の提示領域全体Ｒａｌｌ１に変換することができる。
【００５５】
３．本実施形態の効果
以上のように、本実施形態では、フルセグメント放送の受信からワンセグメント放送の受信への切替えが行われたとき（図３のＳ４）、切替え後のワンセグメント放送の放送波Ｗ２で規定される映像提示領域Ｒｉ２及びデータ放送提示領域Ｒｄ２を、切替え前のフルセグメント放送の映像提示領域Ｒｉ１及びデータ放送提示領域Ｒｄ１に合わせ込むように座標変換する。これにより、フルセグメント放送の受信からワンセグメント放送の受信へと切り替えられても、表示装置４６の画面上では映像提示領域Ｒｉ１及びデータ放送提示領域Ｒｄ１がそのまま用いられる。従って、映像提示領域Ｒｉ１及びデータ放送提示領域Ｒｄ１が、映像提示領域Ｒｉ２及びデータ放送提示領域Ｒｄ２に変化することによるユーザの違和感を防止することができる。
【００５６】
本実施形態では、フルセグメント放送の受信品質の低下をトリガとして、フルセグメント放送の受信からワンセグメント放送の受信へと自動切替えを行う（図３のＳ２：Ｎｏ）。これにより、ユーザが、フルセグメント放送の映像コンテンツを視聴しているときにフルセグメント放送からワンセグメント放送に切り替わることに伴う映像提示領域Ｒｉ１やデータ放送提示領域Ｒｄ１の位置や形の変更によって生じるユーザの違和感を防止することができる。特に、フルセグメント放送とワンセグメント放送がサイマル放送である場合、フルセグメント放送からワンセグメント放送に切り替わっても、映像コンテンツは変わらないため、前記違和感の防止の効果は大きい。
【００５７】
Ｂ．変形例
なお、この発明は、上記実施形態に限らず、この明細書の記載内容に基づき、種々の構成を採り得ることはもちろんである。例えば、以下の構成を採用することができる。
【００５８】
１．搭載対象
上記実施形態では、受信装置１０を車両５０に搭載したが、これに限られず、別の対象に搭載してもよい。例えば、受信装置１０を船舶や航空機等の移動体に用いることもできる。
【００５９】
２．受信対象の放送
上記実施形態では、受信装置１０を地上デジタル放送の受信用に用いたが、その他の放送に用いてもよい。
【００６０】
３． 提示領域変換処理を行う対象及びタイミング
上記実施形態では、ワンセグメント放送の映像提示領域Ｒｉ２及びデータ放送提示領域Ｒｄ２を、フルセグメント放送の映像提示領域Ｒｉ１及びデータ放送提示領域Ｒｄ１に合わせ込むように座標変換を行ったが、反対に、フルセグメント放送の映像提示領域Ｒｉ１及びデータ放送提示領域Ｒｄ１を、ワンセグメント放送の映像提示領域Ｒｉ２及びデータ放送提示領域Ｒｄ２に合わせ込むように座標変換を行ってもよい。このような場合としては、例えば、車両５０の起動時にフルセグメント放送の受信品質が低く、ワンセグメント放送での視聴が行われている状態で、当該受信品質が改善し、フルセグメント放送の受信が可能となった場合を挙げることができる。
【００６１】
図５には、このような場合のフローチャートが示されている。なお、事前設定として、フルセグメント放送の受信品質が所定値よりも高くなった場合、ワンセグメント放送からフルセグメント放送に自動的に切替えを行う設定がなされているものとする。
【００６２】
ステップＳ１１において、ＣＰＵ４０は、復調部１６からの通知によりフルセグメント放送の受信品質が低くなったと判定すると、ステップＳ１２において、ＣＰＵ４０は、ワンセグメント放送の受信及び出力を行うように各部を制御する。続くステップＳ１３において、ＣＰＵ４０は、フルセグメント放送の受信品質が所定値よりも高くなったかどうかを判定する。フルセグメント放送の受信品質が所定値よりも低いままである場合（Ｓ１３：Ｎｏ）、ステップＳ１２に戻る。フルセグメント放送の受信品質が所定値よりも高くなった場合（Ｓ１３：Ｙｅｓ）、ステップＳ１４において、ＣＰＵ４０は、チューナ１４にフルセグメント放送の放送波Ｗ１の受信を開始させる。
【００６３】
続くステップＳ１５において、ＣＰＵ４０は、ＮＶＲＡＭ３４に記憶されている設定を確認し、受信品質に応じてワンセグメント放送からフルセグメント放送に切り替える処理（第２提示領域変換処理）を行う設定となっているかどうかを判定する。第２提示領域変換処理を行う設定となっている場合（Ｓ１５：Ｙｅｓ）、ステップＳ１６において、ＣＰＵ４０は、ＴＳデコーダ１８、音声デコーダ２０、映像デコーダ２２及び提示処理部２４を制御して、フルセグメント放送の放送波Ｗ１に基づくオーディオ信号Ｓａ及びビデオ信号Ｓｖを出力させる。この際、ＣＰＵ４０は、提示処理部２４に対し、第２提示領域変換処理の実行を求める指令を送信する。この指令を受信した提示処理部２４は、第２提示領域変換処理を実行し、フルセグメント放送の放送波Ｗ１に含まれる映像Ｉ１及びデータ放送Ｄ１を、ワンセグメント放送の放送波Ｗ２で規定される映像提示領域Ｒｉ２及びデータ放送提示領域Ｒｄ２に提示させる。第２提示領域変換処理の詳細については、後述する。なお、放送波Ｗ２で規定される映像提示領域Ｒｉ２及びデータ放送提示領域Ｒｄ２は、直前に受信していた放送波Ｗ２の映像提示領域Ｒｉ２及びデータ放送提示領域Ｒｄ２を記憶しておき、これを用いる。
【００６４】
ステップＳ１５に戻り、第２提示領域変換処理を行う設定となっていない場合（Ｓ１５：Ｎｏ）、ステップＳ１７において、ＣＰＵ４０は、ＴＳデコーダ１８、音声デコーダ２０、映像デコーダ２２及び提示処理部２４を制御して、フルセグメント放送の放送波Ｗ１に基づくオーディオ信号Ｓａ及びビデオ信号Ｓｖを出力させる。この際、ＣＰＵ４０は、提示処理部２４に対し、第２提示領域変換処理の実行を求める指令を送信しない。従って、表示装置４６には、放送波Ｗ１で規定される映像提示領域Ｒｉ１及びデータ放送提示領域Ｒｄ１を用いて映像Ｉ１及びデータ放送Ｄ１が表示される。
【００６５】
図６には、第２提示領域変換処理の概念が示されている。図４と同様の提示領域及び寸法については、同一の参照符号を付して説明を省略する。
【００６６】
第２提示領域変換処理では、フルセグメント放送の映像提示領域Ｒｉ１をワンセグメント放送の映像提示領域Ｒｉ２に合わせ込むように変換することにより、フルセグメント放送に含まれる映像Ｉ１の情報を、映像提示領域Ｒｉ２に提示する。また、フルセグメント放送のデータ放送提示領域Ｒｄ１（アルファベットのＬ字状）をワンセグメント放送のデータ放送提示領域Ｒｄ２（アルファベットのＩ字状）に合わせ込むように変換することにより、フルセグメント放送に含まれるデータ放送Ｄ１の情報を、データ放送提示領域Ｒｄ２に提示する。
【００６７】
第２提示領域変換処理は、下記の式（３）及び式（４）を用いた座標変換により行われる。
【００６８】
【数７】
2010074454.tif 000009
【００６９】
【数８】
2010074454.tif 000010
【００７０】
式（３）は、フルセグメント放送の映像提示領域Ｒｉ１に含まれる座標の集合体（映像座標群Ｇｉ１）を、ワンセグメント放送の映像提示領域Ｒｉ２に含まれる座標の集合体（映像座標群Ｇｉ２）に変換するための式である。
【００７１】
また、式（４）は、フルセグメント放送のデータ放送提示領域Ｒｄ１に含まれる座標の集合体（データ放送座標群Ｇｄ１）を、ワンセグメント放送のデータ放送提示領域Ｒｄ２に含まれる座標の集合体（データ放送座標群Ｇｄ２）に変換するための式である。
【００７２】
式（３）における数値の意味するところは、下記の通りである。
ｋ２：フルセグメント放送の映像提示領域Ｒｉ１における水平座標
ｌ２：映像提示領域Ｒｉ１における垂直座標
ｋ２×ｈ１／Ｈ１：水平座標ｋ２を式（３）により変換した後の水平座標（水平座標ｋ２にｈ１／Ｈ１を乗算しているのは、映像提示領域Ｒｉ１の幅Ｈ１を映像提示領域Ｒｉ２の幅ｈ１に合わせ込むためである。）
ｌ２×ｖ１／Ｖ１：垂直座標ｌ２を式（４）により変換した後の垂直座標（ｖ１／Ｖ１を乗算しているのは、映像提示領域Ｒｉ１の高さＶ１を映像提示領域Ｒｉ２の高さｖ１に合わせ込むためである。）
【００７３】
上記式（３）において、水平座標ｋ２を０から幅Ｈ１まで及び垂直座標ｌ２を０から高さＶ１まで変化させた映像座標群Ｇｉ１（映像提示領域Ｒｉ１に対応する）は、式（３）により変換されることにより映像座標群Ｇｉ２（映像提示領域Ｒｉ２に対応する）となる。
【００７４】
式（４）において、右辺第１項は、データ放送提示領域Ｒｄ１の左側領域Ｒｄ１ａに対応する座標群であり、右辺第２項は、下側領域Ｒｄ１ｂに対応する座標群である。なお、式（４）では、Ｌ字状のデータ放送提示領域Ｒｄ１をＩ字状に見立て、Ｉ字状のデータ放送提示領域Ｒｄ２と対応付けることにより座標変換を行う。すなわち、下側領域Ｒｄ１ｂを下側サブ領域Ｒｄ１ｂｄ〜Ｒｄ１ｂｇ（詳細は後述）に分割し、下側サブ領域Ｒｄ１ｂｄ〜Ｒｄ１ｂｇを左側領域Ｒｄ１ａの下側に並べてＩ字状の領域を仮想的に作り、データ放送提示領域Ｒｄ２と対応付けることにより座標変換を行う。
【００７５】
式（４）において、係数Ｘ、Ｙは、下記のように定義される。
Ｘ＝ｈ１／Ｈ２
Ｙ＝ｖ２／（Ｖ＋（［Ｈ１／Ｈ２］＋１）×Ｖ２）
【００７６】
式（４）の右辺第１項における数値の意味するところは、下記の通りである。
ｍ２：フルセグメント放送のデータ放送提示領域Ｒｄ１における水平座標
ｎ２：データ放送提示領域Ｒｄ１における垂直座標
Ｘ×ｍ２：左側領域Ｒｄ１ａにおける水平座標ｍ２を式（４）により変換した後の水平座標（水平座標ｍ２に係数Ｘを乗算しているのは、データ放送提示領域Ｒｄ１の幅Ｈ２をデータ放送提示領域Ｒｄ２の幅ｈ１に合わせ込むためである。）
［Ｈ１／Ｈ２］＋１：下側領域Ｒｄ１ｂを左側領域Ｒｄ１ａの下側に仮想的に並べる際に下側領域Ｒｄ１ｂが分割される数（１を足しているのは、Ｈ１／Ｈ２が整数でないときに、余りの部分（図６であれば、下側サブ領域Ｒｄ２ｂｇ）を考慮したためである。）
Ｙ×ｎ２：左側領域Ｒｄ１ａにおける垂直座標ｎ２を式（４）により変換した後の垂直座標（垂直座標ｎ２に係数Ｙを乗算しているのは、Ｌ字状のデータ放送提示領域Ｒｄ１をＩ字状に仮想変換したときの高さＶ３を、ワンセグメント放送のデータ放送提示領域Ｒｄ２の高さｖ２に合わせるためである。）
【００７７】
上記式（４）の右辺第１項において、水平座標ｍ２を０から幅Ｈ２まで及び垂直座標ｎ２を０から高さＶまで変化させたデータ放送座標群Ｇｄ１ａ（左側領域Ｒｄ１ａに対応する）は、式（４）の右辺第１項により変換されることにより映像座標群Ｇｄ２ａ（データ放送提示領域Ｒｄ２のうち左側領域Ｒｄ１ａに対応する領域に対応する）となる。
【００７８】
式（４）の右辺第２項における数値の意味するところは、下記の通りである（既に説明しているものについては省略する。）。
ｍ２：フルセグメント放送のデータ放送提示領域Ｒｄ１における水平座標
ｎ２：データ放送提示領域Ｒｄ１における垂直座標
ｐ２：下側領域Ｒｄ１ｂの幅Ｈ１を［Ｈ１／Ｈ２］＋１で等分したことにより得られた（下側サブ領域Ｒｄ２ｂｄ〜Ｒｄ２ｂｇ）に対応する変数（すなわち、変数ｐ２が１のとき、下側サブ領域Ｒｄ２ｂｄを示し、変数ｐが２のとき、下側サブ領域Ｒｄ２ｂｅを示し、変数ｐが３のとき、下側サブ領域Ｒｄ２ｂｆを示し、変数ｐが４のとき、下側サブ領域Ｒｄ２ｂｇを示す。）
ｐ２×Ｈ２：下側サブ領域Ｒｄ１ｂｄ〜Ｒｄ１ｂｇのうち座標変換の対象となっているものの水平座標の最初の（最も小さい）値
（ｐ２＋１）×Ｈ２：下側サブ領域Ｒｄ１ｂｄ〜Ｒｄ１ｂｇのうち座標変換の対象となっているものの水平座標の最後の（最も大きい）値
Ｘ×（ｍ２―（ｐ２−１）×Ｈ２）：下側サブ領域Ｒｄ１ｂｄ〜Ｒｄ１ｂｇに含まれる水平座標ｍ２を座標変換した値
Ｙ×（ｎ２＋Ｖ＋（ｐ２−１）×Ｖ２）：下側サブ領域Ｒｄ１ｂｄ〜Ｒｄ１ｂｇに含まれる垂直座標ｎ２を座標変換した値
【００７９】
上記式（４）の右辺第２項において、水平座標ｍ２をｐ２×Ｈ２から（ｐ２＋１）×Ｈ２まで及び垂直座標ｎ２をＶ１からＶ１＋Ｖ２まで並びに変数ｐ２を１から［Ｈ１／Ｈ２］＋１まで変化させたフルセグメント放送のデータ放送座標群Ｇｄ１ｂ（下側領域Ｒｄ１ｂに対応する）は、式（４）の右辺第２項により変換されることによりワンセグメント放送のデータ放送座標群Ｇｄ２ｂ（データ放送提示領域Ｒｄ２のうち下側領域Ｒｄ１ｂに対応する領域に対応する）となる。
【００８０】
以上のような座標変換により、フルセグメント放送の提示領域全体Ｒａｌｌ１をワンセグメント放送の提示領域全体Ｒａｌｌ２に変換することができる。
【００８１】
４．提示領域全体における映像提示領域
上記実施形態では、フルセグメント放送の提示領域全体Ｒａｌｌ１の右上隅と映像提示領域Ｒｉ１の右上隅とが一致するように映像提示領域Ｒｉ１を配置したが、その他の位置に映像提示領域Ｒｉ１を配置してもよい。例えば、提示領域全体Ｒａｌｌ１の左上隅と映像提示領域Ｒｉ１の左上隅とが一致するように映像提示領域Ｒｉ１を配置してもよい。この場合、例えば、原点座標Ｏｉ１、Ｏｄ１、Ｏｉ１、Ｏｉ２の位置や、水平方向及び垂直方向の正の方向等を左右で反転させることで、上記実施形態と同様の変換を行うことができる。さらに、提示領域全体Ｒａｌｌ１の右下隅と映像提示領域Ｒｉ１の右下隅とが一致するように映像提示領域Ｒｉ１を配置してもよく、提示領域全体Ｒａｌｌ１の左下隅と映像提示領域Ｒｉ１の左下隅とが一致するように映像提示領域Ｒｉ１を配置してもよい。
【００８２】
同様に、上記実施形態では、ワンセグメント放送の提示領域全体Ｒａｌｌ２の上側に映像提示領域Ｒｉ２を配置したが、提示領域全体Ｒａｌｌ２の下側に映像提示領域Ｒｉ２を配置することもできる。この場合、映像提示領域Ｒｉ２の原点座標Ｏｉ２及びデータ放送提示領域Ｒｄ２の原点Ｏｄ２の位置を変更すればよい。例えば、映像提示領域Ｒｉ２の下辺が表示装置４６の表示画面の下辺と一致するように原点座標Ｏｉ２を設定し、提示領域全体Ｒａｌｌ２の左上隅に原点座標Ｏｄ２を設定すればよい。
【００８３】
５．放送切替処理
上記実施形態では、フルセグメント放送の放送波Ｗ１の受信品質が低下したとき（図３のＳ２：Ｎｏ）にワンセグメント放送の受信を開始した（Ｓ４）が、これに限られない。例えば、トンネルを抜けたときに異なる送出マスターからの地上デジタル放送の受信圏内に入ったときや、ワンセグメント・ローカルサービスの受信圏内に入ったときにワンセグメント放送の受信を開始してもよい。
【００８４】
図７には、ワンセグメント・ローカルサービスの受信可能圏内に入ったときにワンセグメント放送としてのワンセグメント・ローカルサービスの受信を行い、提示領域変換処理を行うフローチャートである。なお、事前設定として、ワンセグメント・ローカルサービスの受信が可能になったとき、自動的にワンセグメント・ローカルサービスの受信に切り替える設定がなされているものとする。
【００８５】
ステップＳ２１において、ＣＰＵ４０は、チューナ１４にフルセグメント放送の放送波Ｗ１の受信を行わせる。そして、ステップＳ２２において、ＣＰＵ４０は、受信装置１０が、ワンセグメント・ローカルサービスの受信可能圏内にあるかどうかを判定する。当該判定は、地上デジタル放送の放送波に含まれるＮＩＴ（Network Information Table）内のネットワーク識別子「network_id」が、ワンセグメント・ローカルサービスを示す「0x7E8E」であるかどうかを判定することにより行う。
【００８６】
ワンセグメント・ローカルサービスの受信可能圏内にない場合（Ｓ２２：Ｎｏ）、ステップＳ２３において、ＣＰＵ４０は、図３のステップＳ３と同様の処理を行う。ワンセグメント・ローカルサービスの受信可能圏内にある場合（Ｓ２２：Ｙｅｓ）、放送切替処理が行われる。すなわち、ステップＳ２４において、ＣＰＵ４０は、チューナ１４にワンセグメント・ローカルサービスの放送波の受信を開始させる。続くステップＳ２５において、ＣＰＵ４０は、ＮＶＲＡＭ３４に記憶されている設定を確認し、提示領域変換処理を行う設定となっているかどうかを判定する。提示領域変換処理を行う設定となっている場合（Ｓ２５：Ｙｅｓ）、ステップＳ２６において、ＣＰＵ４０は、ＴＳデコーダ１８、音声デコーダ２０、映像デコーダ２２及び提示処理部２４を制御して、ワンセグメント・ローカルサービスの放送波に基づくオーディオ信号Ｓａ及びビデオ信号Ｓｖを出力させる。この際、ＣＰＵ４０は、提示処理部２４に対し、提示領域変換処理の実行を求める指令を送信する。この指令を受信した提示処理部２４は、提示領域変換処理を実行し、ワンセグメント・ローカルサービスの放送波に含まれる映像及びデータ放送を、フルセグメント放送の放送波Ｗ１で規定される映像提示領域Ｒｉ１及びデータ放送提示領域Ｒｄ１に提示させる。ステップＳ２５において、提示領域変換処理を行わない設定となっている場合（Ｓ２５：Ｎｏ）、ステップＳ２７において、ＣＰＵ４０は、図３のＳ７と同様の処理を行う。
【００８７】
上記実施形態では、放送切替処理を受信装置１０が自動的に行ったが、手動で切り替える場合に提示領域変換処理を行ってもよい。
【００８８】
上記実施形態では、放送波Ｗ１、Ｗ２に映像、音声及びデータ放送の情報が包含される構成について述べたが、映像及びデータ放送の情報のみが包含される構成であってもよい。
【００８９】
６．その他
上記実施形態では、座標群としての映像座標群Ｇｉ１、Ｇｉ２及びデータ放送座標群Ｇｄ１、Ｇｄ２の変換を行ったが、座標群の変換以外の方法で領域変換を行ってもよい。例えば、映像提示領域Ｒｉ２の各頂点の座標を映像提示領域Ｒｉ１の各頂点の座標に合わせ込むように座標変換を行い、これに伴って映像提示領域Ｒｉ２を映像提示領域Ｒｉ１に合わせ込むことも可能である。
【図面の簡単な説明】
【００９０】
【図１】この発明の一実施形態に係るデジタル放送受信装置のブロック図である。
【図２】前記デジタル放送受信装置を搭載した車両の移動に伴い、フルセグメント放送の受信とワンセグメント放送の受信とが切り替えられる様子を模式的に示す図である。
【図３】上記実施形態における提示領域切替処理及びこれに関連する処理のフローチャートである。
【図４】前記提示領域変換処理の概念の説明図である。
【図５】前記提示領域変換処理の変形例としての第２提示領域変換処理のフローチャートである。
【図６】前記第２提示領域変換処理の概念の説明図である。
【図７】図３のフローチャートの変形例を示すフローチャートである。
【符号の説明】
【００９１】
１０…地上デジタル放送受信装置      １２…ＲＦアンテナ
１４…チューナ                      １６…復調部
１８…ＴＳデコーダ                  ２０…音声デコーダ
２２…映像デコーダ                  ２４…提示処理部
３４…ＮＶＲＡＭ                    ４０…ＣＰＵ（切替部）
Ｓａ…オーディオ信号                Ｓｖ…ビデオ信号
Ｗ１…通常のテレビジョン放送の放送波
Ｗ２…ワンセグメント放送の放送波
【図１】
2010074454.tif 000015
【図２】
2010074454.tif 000016
【図３】
2010074454.tif 000017
【図４】
2010074454.tif 000018
【図５】
2010074454.tif 000019
【図６】
2010074454.tif 000020
【図７】
2010074454.tif 000021